【手続補正書】
【提出日】平成22年9月6日(2010.9.6)
【手続補正１】
【補正対象書類名】特許請求の範囲
【補正対象項目名】全文
【補正方法】変更
【補正の内容】
【特許請求の範囲】
【請求項１】
上面が開口した本体と、前記本体に収納される鍋と、前記本体の上面開口部を覆う蓋と、前記蓋を前記本体に対して開閉自在に軸支するヒンジ軸と、前記本体内に収納される電源基板と、前記蓋内に収納される表示基板と、前記電源基板と前記表示基板を繋ぐフラットケーブルと、前記蓋を開成方向に付勢する付勢手段と、前記ヒンジ軸に組みつけられ前記蓋の開成に対し制動を行う制動手段とを備え、前記制動手段を、前記フラットケーブルと前記ヒンジ軸の間に構成し、前記制動手段を構成するヒンジ軸組付け部材と外郭の少なくとも一方に絶縁性を持たせてなる炊飯器。
【請求項２】
制動手段のフラットケーブルとの当接部をヒンジ軸より大きな曲率にて構成してなる請求項１に記載の炊飯器。
【手続補正２】
【補正対象書類名】明細書
【補正対象項目名】全文
【補正方法】変更
【補正の内容】
【発明の詳細な説明】
【発明の名称】炊飯器
【技術分野】
【０００１】
本発明は、蓋に表示基板を、本体内には電源基板をそれぞれ配置するとともに、蓋を簡単な操作により自動的に安定して開成するようにした炊飯器に関するものである。
【背景技術】
【０００２】
従来、炊飯器の設置面積を小さくして欲しいという要望に対して、表示基板および電源基板を本体内の鍋前方に配置せずに、蓋天面に表示基板を、本体内に電源基板をそれぞれ配置して設置面積を低減しているものがある（例えば、特許文献１参照）。
【０００３】
これは、図４に示すように、操作部である表示基板への電力供給や、操作信号の電源基板との交信などのためにフラットケーブル３０を用いている。そして、このフラットケーブル３０は、ヒンジ軸３１に装備した蓋開成付勢用のバネ３２の横にフラットケーブル幅
を確保して位置させている。
【０００４】
また、最近の炊飯器は、本体の上部を覆う蓋を簡単な操作により自動的に開成できるものが主流であり、特に、高級な炊飯器では、蓋開き途中のスピードの安定感、止まり際のゆったり感、一連の開き動作における静かさなどの高級イメージを実現するためにヒンジ部にギヤダンパー・オイルダンパーなどの制動手段を構成しているものがある（例えば、特許文献２参照）。
【０００５】
これは、図５に示すように、本体後方に設けたヒンジ軸３３の近くにバネ３４を配接し蓋を開成する方向に付勢するとともに、本体前方にて蓋前方の係止部３５と係合するフックボタン３６を設けており、フックボタン３６を操作することにより蓋の係止部３５との係合が解除される。また、図６のように、ヒンジ軸３３にはギヤダンパー３７が組み付けられており、蓋開成時には内包するギヤ群および抵抗羽根の空気抵抗により制動力を発生させて蓋の動きを緩和している。
【特許文献１】特開平１０−２７４９３６号公報
【特許文献２】特開平８−１５００７２号公報
【発明の開示】
【発明が解決しようとする課題】
【０００６】
しかしながら、前記従来の蓋天面に表示基板を設けた構成では、蓋全体の重量が重くなり大きな蓋開成力が必要となるため、蓋開成時に異音がしたり本体がバウンドしたりして、蓋開成時の品位が確保しにくいものである。また、前記従来のダンパーなどの制動手段を採用している炊飯器の構成では、ヒンジ軸の一部に制動手段の組み付けを行うため、ヒンジ幅の小型化、ひいては製品幅の小型化が困難となる。
【０００７】
本発明は、前記従来の課題を解決するもので、ヒンジ幅を大きくせずに蓋開き途中のスピードの安定感、止まり際のゆったり感、一連の開き動作における静かさなどの高級イメージを実現した炊飯器を提供することを目的とする。
【課題を解決するための手段】
【０００８】
前記従来の課題を解決するために、本発明の炊飯器は、上面が開口した本体と、前記本体に収納される鍋と、前記本体の上面開口部を覆う蓋と、前記蓋を前記本体に対して開閉自在に軸支するヒンジ軸と、前記本体内に収納される電源基板と、前記蓋内に収納される表示基板と、前記電源基板と前記表示基板を繋ぐフラットケーブルと、前記蓋を開成方向に付勢する付勢手段と、前記ヒンジ軸に組みつけられ前記蓋の開成に対し制動を行う制動手段を備え、前記制動手段を、前記フラットケーブルと前記ヒンジ軸の間に構成し、前記制動手段を構成するヒンジ軸組付け部材と外郭の少なくとも一方に絶縁性を持たせたものである。
【０００９】
これによって、制動手段が作用し、しかも制動手段が表示基板を有する蓋のヒンジ軸とフラットケーブルの間にあるため、ヒンジ幅を大きくせずに蓋開き途中のスピードの安定感、止まり際のゆったり感、一連の開き動作における静かさなどの高級イメージを実現させることができる。さらに、長期使用における蓋の開閉繰り返しによりフラットケーブルの表面部材が磨耗しても制動手段により絶縁性が保たれているため、確実にヒンジ軸とフラットケーブルの間の絶縁性が確保でき、安全である。
【発明の効果】
【００１０】
本発明の炊飯器は、ヒンジ幅を大きくせずに蓋開き途中のスピードの安定感、止まり際のゆったり感、一連の開き動作における静かさなどの高級イメージを実現できる。
【発明を実施するための最良の形態】
【００１１】
第１の発明は、上面が開口した本体と、前記本体に収納される鍋と、前記本体の上面開口部を覆う蓋と、前記蓋を前記本体に対して開閉自在に軸支するヒンジ軸と、前記本体内に収納される電源基板と、前記蓋内に収納される表示基板と、前記電源基板と前記表示基板を繋ぐフラットケーブルと、前記蓋を開成方向に付勢する付勢手段と、前記ヒンジ軸に組みつけられ前記蓋の開成に対し制動を行う制動手段を備え、前記制動手段を、前記フラットケーブルと前記ヒンジ軸の間に構成した炊飯器とするものである。これによって、制動手段が作用し、しかも制動手段が表示基板を有する蓋のヒンジ軸とフラットケーブルの間にあるため、ヒンジ幅を大きくせずに蓋開き途中のスピードの安定感、止まり際のゆったり感、一連の開き動作における静かさなどの高級イメージを実現させることができる。
【００１２】
さらに、制動手段を構成するヒンジ軸組付け部材と外郭の少なくとも一方に絶縁性を持たせてなることにより、長期使用における蓋の開閉繰り返しによりフラットケーブルの表面部材が磨耗しても制動手段により絶縁性が保たれているため、確実にヒンジ軸とフラットケーブルの間の絶縁性が確保でき、安全である。
【００１３】
第２の発明は、特に、第１の発明において、制動手段のフラットケーブルとの当接部をヒンジ軸より大きな曲率にて構成してなることにより、蓋開閉動作におけるフラットケーブル屈曲部位の集中応力を低減し耐久性を向上させることができ、壊れにくく経済的である。
【００１４】
以下、本発明の実施の形態について、図面を参照しながら説明する。なお、この実施の形態によって本発明が限定されるものではない。
【００１５】
（実施の形態）
図１〜図３は、本発明の実施の形態における炊飯器を示している。
【００１６】
図１に示すように、本実施の形態における炊飯器は、上面が開口した本体１と、本体１に収納されるステンレス、鉄などの磁性体の鍋２と、本体１の上面開口部を覆う蓋３と、蓋３を本体１に対して開閉自在に軸支するヒンジ軸４と、本体１内に収納される電源基板９と、蓋３内に収納される表示基板１４と、電源基板９と表示基板１４を繋ぐフラットケーブル１３と、蓋３を開成方向に付勢するバネなどの付勢手段５と、ヒンジ軸４に組みつけられ蓋３の開成に対し制動を行うオイルダンパーなどの制動手段６とを備えている。そして、制動手段６は、フラットケーブル１３とヒンジ軸４の間に構成している。
【００１７】
また、本実施の形態における炊飯器は、本体１内に鍋２を収納する鍋収納部７と、その下方に設置した加熱コイルなどの加熱手段８を備えている。前記電源基板９は、本体１内の後方でヒンジ軸４側に位置して設けたもので、加熱手段８への通電制御などを行う。本実施の形態では、鍋２を誘導加熱し、鍋２内の調理物（図示しない）を加熱調理する。なお、調理物は炊飯前の米と水または炊き上がったご飯などである。
【００１８】
また、本体１の上面開口部を覆う蓋３は、付勢手段５により常に開成方向に付勢されつつヒンジ軸４で回動自在に軸支されているが、他側でフックボタン１０により係合されている。ここで、フックボタン１０を操作することにより係合が解除され、自動的に開成されるが、付勢手段５の付勢力により蓋３が開成する際に制動手段６で制動力を働かせる。なお、制動手段６は本体１内のダンパー取付壁１１に取付けられ、この制動手段６およびヒンジ軸４部分はヒンジカバー１２で覆われていて、本体１の外から見えないようにしている。
【００１９】
また、蓋３に収納される表示基板１４は、ここで操作入力などを行うとともに炊飯・保
温などの状態表示などを行うものである。また、蓋３の内側には、ステンレスからなる内蓋１５と樹脂からなる内蓋支え１６と鍋パッキン１７により構成される内蓋ユニット１８が装備されており、内蓋ユニット１８は、鍋パッキン１７が鍋２の上部のフランジ部２ａに当接することにより鍋２を閉塞する。
【００２０】
図２にヒンジカバー１２を外して内部構成を示しているように、制動手段（破線で示す）６は付勢手段５の横でヒンジ軸４が貫通するように組みつけられており、その後方にフラットケーブル１３が配線処理されている。すなわち、既述したように、制動手段６はフラットケーブル１３とヒンジ軸４の間に構成されている。この構成により、ヒンジ幅は制動手段６が無い時と比べて大きくならずにすむため、炊飯器の大型化を抑制することができる。そして、フラットケーブル１３は、制動手段６後方に配線処理された後、折り返して電源基板９に繋いでいる。制動手段６のフラットケーブル１３との当接部（後記のダンパーボディ６ｃ）はヒンジ軸４より大きな曲率にて構成しているものである。これは、フラットケーブル１３の屈曲部位の集中応力を低減するためである。
【００２１】
制動手段６としてのオイルダンパーとヒンジ軸４の詳細を図３に示す。ヒンジ軸４には、回転規制用のリブ４ａ、リブ４ｂ、およびＤカット面４ｃが形成されている。リブ４ａ、Ｄカット面４ｃは蓋３に設けたキー溝付き穴やＤ形状穴に、リブ４ｂは制動手段６に設けたキー溝付き部品に嵌め合わされ、回転規制を行う。なお、これらの回転規制形状の詳細は問わず、全てリブ、Ｄカット面などに統一して形成したり、１８０°対角にもう一組設けたりしてもよく、また、ピンなどの別部材で行ってもよい。
【００２２】
制動手段６としてのオイルダンパーは、ダンパー蓋６ａ、ダンパー軸６ｂ、ダンパーボディ６ｃ、パッキン６ｄ、６ｅと、オイル（図示しない）によって構成されている。ダンパー軸６ｂにはヒンジ軸４のリブ４ｂに嵌合するキー溝６ｆとオイル穴６ｇが形成されている。ダンパーボディ６ｃはコの字形状を回転させた２層円筒に上下に三角状のリブ６ｈを加えた形状としている。
【００２３】
そして、制動手段６は、ダンパー軸６ｂの小円筒側にパッキン６ｄ、大円筒側内部にパッキン６ｅを挿入した状態で、オイルを注入したダンパーボディ６ｃに挿入した後、ダンパー蓋６ａを接着してオイルを封じている。ダンパー軸６ｂが回転すると、オイルが抵抗体となり制動力が発生する。
【００２４】
ここで、制動手段６がギヤダンパーのような、ヒンジ軸４の外形に対して大きな構成であると、フラットケーブル１３を通す構成が確保しづらいが、オイルダンパーとした場合、小さな外形でも大きな制動力が確保しやすく、フラットケーブル１３を通す構成が確保しやすい。また、制動手段６としてオイルダンパーを用いると、ギヤダンパーに比べて小さく構成できるため、炊飯器に対する小型化の要求に応えることができる。
【００２５】
さらに、制動手段６を構成するヒンジ軸組付け部材であるダンパー軸６ｂと、外郭であるダンパーボディ６ｃの少なくとも一方に絶縁性を持たせているものであり（例えば、絶縁部材で構成する）、フラットケーブル１３の表面部材が磨耗して充電部が露出された時でも、フラットケーブル１３内で隣接する充電部間の絶縁性を確保し、安全性を高めている。
【００２６】
上記の構成の炊飯器において、フックボタン１０を操作すると、付勢手段５の付勢力により蓋３が開くが、制動手段６によりその開き動作が抑制され、常に安定したスピードで開くことになり、また、止まり際にもゆっくりと止まる上に、制動手段６により蓋３の動きが緩和され静かに蓋開成動作が行われる高級イメージが実現できる。また、制動手段６をフラットケーブル１３とヒンジ軸４の間に構成したため、ヒンジ幅は制動手段６が無い
時と比べて大きくならずにすむため、炊飯器の大型化を抑制することができる。
【００２７】
以上のように、本実施の形態によれば、制動手段が作用し、しかも制動手段が表示基板を有する蓋のヒンジ軸とフラットケーブルの間にあるため、ヒンジ幅を大きくせずに蓋開き途中のスピードの安定感、止まり際のゆったり感、一連の開き動作における静かさなどの高級イメージを実現させることができる。
【００２８】
また、フラットケーブルはヒンジ軸より大きな曲率の制動手段の当接部と接触しているので、蓋を開閉した際、フラットケーブルの屈曲部には、ヒンジ軸の小さな曲率に従って屈曲することに比べて小さな応力しか発生しないことになり、フラットケーブルは断線しづらくなる。結果、フラットケーブルの耐久性を向上させることができている。
【００２９】
また、制動手段を構成するヒンジ軸組付け部材と外郭の少なくとも一方に絶縁性を持たせているので、フラットケーブルの表面部材が磨耗して充電部が露出された時でも、フラットケーブル内で隣接する充電部間の絶縁性を確保し、安全性を高めている。
【００３０】
なお、本実施の形態では、フラットケーブルを制動手段の後方を通す構成としているが、前方を通しても同じ効果を得ることができる。また、制動手段の構成は、フラットケーブルを通す構成が確保できるならば、オイルダンパーに制約されるものではない。
【産業上の利用可能性】
【００３１】
以上のように、本発明にかかわる炊飯器は、ヒンジ幅を大きくせずに蓋開き途中のスピードの安定感、止まり際のゆったり感、一連の開き動作における静かさなどの高級イメージを実現できるので、家庭用、業務用などにかかわらず炊飯器全般に適用できる。
【図面の簡単な説明】
【００３２】
【図１】本発明の実施の形態における炊飯器の断面図
【図２】同炊飯器の制動手段部分の部分背面図
【図３】同炊飯器のヒンジ軸と制動手段の分解斜視図
【図４】従来の炊飯器における制動手段部分の部分背面図
【図５】他の従来例を示す炊飯器の断面図
【図６】同炊飯器における制動手段部分の部分背面図
【符号の説明】
【００３３】
１  本体
２  鍋
３  蓋
４  ヒンジ軸
５  付勢手段
６  制動手段
６ｂ  ダンパー軸（ヒンジ軸組付け部材）
６ｃ  ダンパーボディ（外郭）
９  電源基板
１３  フラットケーブル
１４  表示基板